(57)【特許請求の範囲】
【請求項１】
複数の階層にわたる吹抜空間が設けられ、
前記吹抜空間に面する各階層の開口部に、手摺と、前記開口部を開閉自在な防火シャッタとが設けてある建物であって、
前記防火シャッタのシャッタ本体を開閉駆動する駆動装置は、前記開口部の上縁部に設置してあり、
前記駆動装置から繰り出される前記シャッタ本体の下端部が着床する着床部は、前記駆動装置のシャッタ繰り出し部の直下より前記吹抜空間側に寄った床部位置に設けてある建物。
【請求項２】
前記シャッタ本体の開閉軌跡は、前記駆動装置から遠ざかるに伴って前記吹抜空間側に位置する傾斜部と、前記傾斜部から直下に至る直線部とを備えている請求項１に記載の建物。
【請求項３】
前記着床部は、前記手摺より前記吹抜空間側に位置させてある請求項１又は２に記載の建物。
【請求項４】
前記開口部の縁部に沿って梁が設けてあり、前記梁の前記吹抜空間と反対側に前記駆動装置が設置してある請求項１〜３の何れか一項に記載の建物。
【発明の詳細な説明】
【技術分野】
【０００１】
本発明は、複数の階層にわたる吹抜空間が設けられ、前記吹抜空間に面する各階層の開口部に、手摺と、前記開口部を開閉自在な防火シャッタとが設けてある建物に関する。
【背景技術】
【０００２】
従来、この種の建物としては、吹抜空間で火災が発生した場合の炎や煙による被害が各階層に拡大したり、また、階層部分で発生した火災による炎や煙が、吹抜空間を介して他の階層に拡大するのを防止する為に、図８に示すように、吹抜空間Ｖと各階層部Ｋとを隔離できる防火シャッタ２が設けられている。
前記防火シャッタ２は、シャッタ本体２Ａを開閉駆動する駆動装置２Ｂが、前記開口部Ｗの上縁部（天井裏部分等）に設置され、そこからシャッタ本体２Ａが鉛直面に沿って床部Ｆの着床部７まで繰り出されることで、防火区画が構成されるように設置されている（例えば、特許文献１参照）。
【先行技術文献】
【特許文献】
【０００３】
【特許文献１】特開２００２−１４７１３８号公報（図６、図１）
【発明の概要】
【発明が解決しようとする課題】
【０００４】
吹抜空間に面する各階層の開口部の縁部には、図８に示すように、縁部に沿う状態に梁Ｈが設置してあることが多く、この場合は、梁の直下に防火シャッタ２を設置すると、梁下の開口高さを有効に確保できないから、防火シャッタ２は、梁Ｈの部分を避けて、吹抜空間Ｖとは逆側の部分に設置されることになる。
また、開口部Ｗの縁部に梁Ｈを設けない躯体構造であっても、吹抜空間Ｖに面する床端縁部の美観性向上のために、前記駆動装置２Ｂを吹抜空間Ｖの際から各階層部Ｋ側に入り込んだ部分に設置されることもある。
上述した従来の建物によれば、シャッタ本体２Ａが、鉛直面に沿って上下するものであるから、駆動装置２Ｂが吹抜空間Ｖに面する床端縁部の際から各階層部Ｋ側に入り込んだ部分に設置されるに伴って、シャッタ本体２Ａ、及び、着床部７も、床端縁部の際から各階層部Ｋ側に入り込んだ部分に位置することになる。
一方、手摺１は、図８（ａ）に示すように、吹抜空間Ｖに面する床端縁部の際に配置する場合や、図８（ｂ）に示すように、シャッタ本体２Ａの位置の内側に沿わせて配置する場合がある。
手摺１を床端縁部の際に配置する場合は、床部Ｆを、床端縁部の際まで有効に利用できるものの、着床部７の上に、シャッタ本体２Ａの降下によって開口部Ｗを遮断する時に障害となる物（例えば、椅子や観葉植物や荷物等）が置かれる危険性があり、シャッタの降下障害をまねく問題点がある。
また、手摺１をシャッタ本体２Ａの内側に配置する場合は、手摺１の外側には物が置かれることが少ないから上述のシャッタの降下障害の問題は生じ難いものの、床部Ｆを床端縁部の際まで有効に利用できない問題点がある。
また、このような問題点の一因は、嵩張る駆動装置２Ｂのスペースを確保するためにシャッタ本体の設置位置に制約がある点が挙げられるが、この点を改善するのに、嵩張る駆動装置を使用しない防火ブラインドを設置することが前記特許文献１に記載されている。
しかしながら、防火ブラインドは、ブラインドを構成する多数のブレードを回転操作することで、上下に隣接するブレードどうしの間に隙間を形成したり、逆にブレードの縁部どうしを当接させて隙間を遮蔽してブラインド面を開閉するものであるから、防火ブラインド本体は、吹抜空間に面する各階層の開口部に、平常時にも位置させておく必要がある。従って、多数のブレードやそれを支えるフレームが視線を遮ることになり、吹抜空間における解放感を著しく損なうことになる。
【０００５】
従って、本発明の目的は、上記問題点を解消し、吹抜空間における解放感を維持しつつ、吹抜空間に面する床端縁部の際まで床面を有効に利用でき、シャッタの降下障害が生じ難い建物を提供するところにある。
【課題を解決するための手段】
【０００６】
本発明の第１の特徴構成は、複数の階層にわたる吹抜空間が設けられ、前記吹抜空間に面する各階層の開口部に、手摺と、前記開口部を開閉自在な防火シャッタとが設けてある建物であって、前記防火シャッタのシャッタ本体を開閉駆動する駆動装置は、前記開口部の上縁部に設置してあり、前記駆動装置から繰り出される前記シャッタ本体の下端部が着床する着床部は、前記駆動装置のシャッタ繰り出し部の直下より前記吹抜空間側に寄った床部位置に設けてあるところにある。
【０００７】
本発明の第１の特徴構成によれば、前記着床部を、前記駆動装置のシャッタ繰り出し部の直下より前記吹抜空間側に寄った床部位置に設けてあるから、着床部より内側が、従来の床面積より大きくなり、より広い空間として使用することができる。また、着床部そのものが吹抜空間側に寄っているから、手摺を着床部の内側・外側の何れに設置する場合であっても、手摺より内側の空間を従来より広く確保することが可能となる。
また、本発明の第１の特徴構成によれば、シャッタ繰り出し部の直下より吹抜空間側に、シャッタ本体の開閉軌跡を位置させることができるから、シャッタ繰り出し部の直下に、例えば、椅子や観葉植物や荷物等の障害物を置いたとしても、シャッタの降下障害を生じ難くすることができる。
以上の結果、吹抜空間における解放感を維持しつつ、吹抜空間に面する床端縁部の際まで床面を有効に利用でき、シャッタの降下障害が生じ難いようにすることができる。
【０００８】
本発明の第２の特徴構成は、前記シャッタ本体の開閉軌跡は、前記駆動装置から遠ざかるに伴って前記吹抜空間側に位置する傾斜部と、前記傾斜部から直下に至る直線部とを備えているところにある。
【０００９】
本発明の第２の特徴構成によれば、シャッタ本体の開閉軌跡を、吹抜空間側に凸状の形状に構成することができ、シャッタの内側空間を、より広く確保することができる。
【００１０】
本発明の第３の特徴構成は、前記着床部は、前記手摺より前記吹抜空間側に位置させてあるところにある。
【００１１】
本発明の第３の特徴構成によれば、手摺によって吹抜空間側（外側）への転落の防止を図ることができると共に、手摺より前記外側にシャッタ本体の開閉軌跡が位置するから、よりシャッタの降下障害を防止し易くなる。
即ち、手摺によって、日頃よく使用される内側の部分とその外側の部分との区画が実施され、わざわざ、手摺を越えて区画の外側の部分に物を置くことを防止し易くなり、その結果、着床部の上に障害物が存置されることが無くなり、シャッタの降下障害の防止を図ることができる。
【００１２】
本発明の第４の特徴構成は、前記開口部の縁部に沿って梁が設けてあり、前記梁の前記吹抜空間と反対側に前記駆動装置が設置してあるところにある。
【００１３】
本発明の第４の特徴構成によれば、開口部の縁部に沿って梁が設けてあるから、床端縁部の応力分担を前記梁を有効に利用して実施でき、合理的な応力配分ができる。また、前記梁の前記吹抜空間と反対側に前記駆動装置が設置してあるから、梁のふところ空間を有効に利用して前記駆動装置を設置でき、梁下空間の開口高さを有効に利用することができる。
【図面の簡単な説明】
【００１４】
【図１】防火シャッタの設置状況を示す斜視図
【図２】防火シャッタの設置状況を示す断面図
【図３】別実施形態の防火シャッタの設置状況を示す断面図
【図４】別実施形態の防火シャッタの設置状況を示す断面図
【図５】別実施形態の防火シャッタの設置状況を示す断面図
【図６】別実施形態の防火シャッタの設置状況を示す断面図
【図７】別実施形態の防火シャッタの設置状況を示す断面図
【図８】従来の防火シャッタの設置状況を示す断面図
【発明を実施するための形態】
【００１５】
以下に本発明の実施の形態を図面に基づいて説明する。尚、図面において従来例と同一の符号で表示した部分は、同一又は相当の部分を示している。
【００１６】
図１は、本発明の建物Ｂの一実施形態を示すものであり、当該建物Ｂは、複数の階層にわたる吹抜空間Ｖが設けられ、前記吹抜空間Ｖに面する各階層の開口部Ｗに、手摺１と、前記開口部Ｗを開閉自在な防火シャッタ２とが設けられ、防火シャッタ２によって階層部Ｋと吹抜空間Ｖとの防火区画が構成されている。
また、前記開口部Ｗの縁部に沿って梁Ｈが設けてある。
【００１７】
前記防火シャッタ２は、図２に示すように、金属製のシャッタボックスＸの中に、巻回状態に収納されている金属製のシャッタ本体２Ａと、シャッタ本体２Ａを繰り出したり巻き取ったりすることで開閉駆動する駆動モータ（駆動装置の一例）２Ｂとを設けて構成してある。
また、シャッタボックスＸは、前記開口部Ｗの上縁部における前記梁Ｈの吹抜空間Ｖとは反対側の部分に設置してあり、シャッタボックスＸの下面には、シャッタ本体２Ａの先端が繰り出される繰り出し窓（シャッタ繰り出し部に相当）３が形成してある。
【００１８】
前記シャッタ本体２Ａは、複数のスラット板４を、スラット板４の長辺部どうしを相対揺動自在に連結するヒンジ部５を介して連結して構成してあり、基端部は、前記駆動モータ２Ｂに連係させた巻回軸６に連結してある。
前記駆動モータ２Ｂの回転駆動によって、前記シャッタ本体２Ａを、前記巻回軸６の周りに巻き取ったり、前記繰り出し窓３から下方に繰り出すことができる。
【００１９】
前記駆動装置２Ｂから繰り出される前記シャッタ本体２Ａの先端部が着床する着床部７は、床部Ｆのうちで前記駆動装置２Ｂの繰り出し窓３の直下より前記吹抜空間Ｖ側に寄った部分に設けてある。
【００２０】
前記シャッタ本体２Ａの横両端部は、前記開口部Ｗの上縁部から床部Ｆにわたって縦配置に設けられた溝形部材のガイドレール８に内嵌させてあり、このガイドレール８に沿った繰り出し軌跡で前記シャッタ本体２Ａは上下動作する。
前記ガイドレール８は、上端部は、前記繰り出し窓３に対応させて配置してあると共に、下端部は、前記着床部７に対応させて配置してある。ガイドレール８の形状は、当該実施形態においては、図２に示すように、上端部側は、前記駆動モータ２Ｂから遠ざかるに伴って前記吹抜空間Ｖ側に位置する傾斜レール部８Ａであり、その下方に連続する部分は、前記傾斜レール部８Ａから直下に至る鉛直レール部８Ｂである。
前記傾斜レール部８Ａによって案内されるシャッタ本体２Ａの開閉軌跡部分を、傾斜部９といい、前記鉛直レール部８Ｂによって案内されるシャッタ本体２Ａの開閉軌跡部分を、直線部１０という。
【００２１】
前記手摺１は、図２に示すように、前記直線部１０の内側に沿わせて床部Ｆに立設されている。
通常は、手摺１より吹抜空間Ｖ側には立ち入ることがないから、手摺１の外側に位置するぜ着床部７上に、不用意に物が置かれることを防止し易く、障害物によるシャッタの降下障害を未然に防ぐことができる。
【００２２】
当該実施形態の建物によれば、着床部７を、前記吹抜空間Ｖ側に寄った床部位置に設け、手摺１をシャッタ開閉軌跡の前記直線部１０に沿わせた内側に設けてあるから、着床部７より内側が、従来の床面積より大きくなり、より広い空間として使用することができると共に、シャッタの降下障害を生じ難くすることができる。
また、前記開口部Ｗの縁部に沿って梁Ｈが設けてあるから、その梁Ｈを有効に利用して合理的な応力配分ができると共に、梁Ｈが目隠しとなって、吹抜空間Ｖ側に駆動モータ２Ａが露出するのを防止でき、床端縁部における美観性の低下防止を図ることができる。
【００２３】
〔別実施形態〕
以下に他の実施の形態を説明する。
【００２４】
〈１〉  前記防火シャッタ２は、先の実施形態で説明した構造や形式に限るものではなく、巻回軸６に巻き取った状態から駆動装置によって巻き戻しながら開口部Ｗに繰り出す方式のものに替えて、例えば、収納する時には、シャッタ本体２Ａを長手方向に沿ってスライドさせながら天井裏空間内に取り込んで収納する一方、シャッタを降ろす時には、シャッタ本体２Ａを天井裏空間から繰り出し方向に沿ってスライドすることで開口部Ｗに繰り出す方式のものであってもよい。
〈２〉  前記シャッタ本体２Ａの開閉軌跡は、先の実施形態で説明したように、シャッタボックスＸに続いて前記傾斜部９と直線部１０とのみを設けたものに限るものではなく、例えば、図３に示すように、直線部１０の下方に傾斜部９と直線部１０とを設けた構成であったり、図４、図６に示すように、傾斜部９のみを設けた構成であってもよい。
また、前記傾斜部９は、先の実施形態で説明したように、直線形状であることに限らず、例えば、直線形状と曲線形状を組み合わせたものや、図５、図６に示すように、曲線形状に構成するものであってもよい。
〈３〉  前記建物Ｂは、先の実施形態で説明した構造に限るものではなく、例えば、図５、図６に示すように、前記開口部Ｗの縁部に沿った梁Ｈを設けない構造であってもよい。図５に示す実施形態においては、防火シャッタ２の取付位置を、床端縁部より内側に入り込んだ部分に設定してあり、防火シャッタ２の存在が吹抜空間Ｖ側から見え難くすることで、意匠性の低下防止を図っている。
また、図６に示すように、下階の床部Ｆより上階の床部Ｆの方が、吹抜空間Ｖより階層部Ｋ側に入り込んだ建物構造であってもよい。
〈４〉  前記手摺１は、先の実施形態で説明したように、着床部７の内側に設けてあるものに限らず、例えば、図７に示すように、シャッタの開閉軌跡、及び、着床部７より吹抜空間Ｖ側に設置してあってもよい。
【００２５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２６】
１      手摺
２      防火シャッタ
２Ａ    シャッタ本体
２Ｂ    駆動モータ（駆動装置の一例）
３      繰り出し窓（シャッタ繰り出し部に相当）
７      着床部
９      傾斜部
１０    直線部
Ｆ      床部
Ｈ      梁
Ｖ      吹抜空間
Ｗ      開口部
【図１】
0005489040.tif 000002
【図２】
0005489040.tif 000003
【図３】
0005489040.tif 000004
【図４】
0005489040.tif 000005
【図５】
0005489040.tif 000006
【図６】
0005489040.tif 000007
【図７】
0005489040.tif 000008
【図８】
0005489040.tif 000009